(57)【特許請求の範囲】
【請求項１】
各気筒毎に、燃焼室内に電極が突出された点火プラグと燃焼室内に直接燃料噴射を行う複数の噴口を有するマルチホール型の燃料噴射弁とが設けられ、
各気筒において、前記複数の噴口のうち一部の特定噴口の軸線が、前記電極下方の所定位置に指向された火花点火式直噴エンジンにおいて、
各気筒について、前記点火プラグの軸線上における前記電極と前記特定噴口の軸線との間の距離に関連した値となる距離データを把握する距離データ把握手段と、
あらかじめ設定された所定温度を超える温間時でのエンジン始動時において、クランキング開始直後に最初に混合気に対して点火を行う初爆気筒を、前記距離データ把握手段で得ている前記距離が最大となっている特定気筒以外の他の気筒に設定する初爆気筒設定手段と、
を備えていることを特徴とする火花点火式直噴エンジン。
【請求項２】
請求項１において、
前記距離データ把握手段が、前記電極を通して流れるイオン電流を検出する電流検出手段と、該電流検出手段によって検出されたイオン電流の大きさを記憶する記憶手段とから構成されている、
ことを特徴とする火花点火式直噴エンジン。
【請求項３】
請求項１において、
前記距離データ把握手段が、前記電極の燃焼室内への突出量と前記特定噴口の軸線位置に関するデータとに基づいて決定された前記距離データを記憶する記憶手段を備えている、
ことを特徴とする火花点火式直噴エンジン。
【請求項４】
請求項１ないし請求項３のいずれか１項において、
前記初爆気筒設定手段によって設定される前記他の気筒が、前記距離データ把握手段で得ている前記距離が最小となっている気筒とされる、
ことを特徴とする火花点火式直噴エンジン。
【請求項５】
請求項１ないし請求項４のいずれか１項において、
前記温間時でのエンジン始動時には、圧縮行程後半に燃料噴射が行われる、
ことを特徴とする火花点火式直噴エンジン。
【請求項６】
各気筒毎に、燃焼室内に電極が突出された点火プラグと燃焼室内に直接燃料噴射を行う複数の噴口を有するマルチホール型の燃料噴射弁とが設けられ、
各気筒において、前記複数の噴口のうち一部の特定噴口の軸線が、前記電極下方の所定位置に指向された火花点火式直噴エンジンにおいて、
各気筒について、前記点火プラグの軸線上における前記電極と前記特定噴口の軸線との間の距離に関連した値となる距離データを把握する距離データ把握手段と、
エンジン冷機時において、各気筒間について角速度の変動状態を検出する角速度変動検出手段と、
前記角速度検出手段で検出される気筒間での角速度の変動が小さいときは、あらかじめ設定された所定温度を超える温間時でのエンジン始動時において、クランキング開始直後に最初に混合気に対して点火を行う初爆気筒を、前記距離データ把握手段で得ている前記距離が最小となっている最小気筒に設定する初爆気筒設定手段と、
を備えていることを特徴とする火花点火式直噴エンジン。
【請求項７】
請求項６において、
前記初爆気筒設定手段は、前記角速度検出手段で検出される気筒間での角速度の変動が大きいときは、あらかじめ設定された所定温度を超える温間時でのエンジン始動時において、クランキング開始直後に最初に混合気に対して点火を行う初爆気筒を、角速度が大きい気筒に設定する、
ことを特徴とする火花点火式直噴エンジン。
【請求項８】
各気筒毎に、燃焼室内に電極が突出された点火プラグと燃焼室内に直接燃料噴射を行う複数の噴口を有するマルチホール型の燃料噴射弁とが設けられ、
各気筒において、前記複数の噴口のうち一部の特定噴口の軸線が、前記電極下方の所定位置に指向された火花点火式直噴エンジンにおいて、
各気筒間において、前記点火プラグの軸線上における前記電極と前記特定噴口の軸線との間の距離がもっとも小さくなる最小気筒を記憶している記憶手段と、
あらかじめ設定された所定温度を超える温間時でのエンジン始動時において、クランキング開始直後に最初に混合気に対して点火を行う初爆気筒を、前記記憶手段に記憶されている前記最小気筒に設定する初爆気筒設定手段と、
を備えていることを特徴とする火花点火式直噴エンジン。
【請求項９】
請求項１ないし請求項８のいずれか１項において、
前記電極が燃焼室の略中央部に配設され、
前記燃料噴射弁が、燃焼室周縁部に配設されて、前記複数の噴口として、前記  特定噴
口の他に、ピストン頂面方向に指向される他の噴口を有し、
各気筒について、それぞれ２つの吸気弁が設けられ、
前記燃料噴射弁が前記２つの吸気弁間に位置されている、
ことを特徴とする火花点火式直噴エンジン。
【請求項１０】
請求項１ないし請求項９のいずれか１項において、
前記電極近傍に指向される噴口として、前記特定噴口の他に、該電極の左側方に指向された左側方噴口と、該電極の右側方に指向された右側方噴口とを有し、
前記特定噴口、左側方噴口および右側方噴口の各噴口から前記電極までの距離が２０ｍｍ以上に設定され、
前記特定噴口と前記左側方噴口とのなす開き角が１５度〜２５の度の範囲に設定されて、エンジンの低回転・低負荷域となる所定運転領域で該特定噴口からの燃料噴霧と該左側方噴口からの燃料噴霧が相互干渉効果によって互いに連続したものとなるように設定され、
前記特定噴口と前記右側方噴口とのなす開き角が１５度〜２５の度の範囲に設定されて、前記所定運転領域で該特定噴口からの燃料噴霧と該右側方噴口からの燃料噴霧が相互干渉効果によって互いに連続したものとなるように設定されている、
ことを特徴とする火花点火式直噴エンジン。
【発明の詳細な説明】
【技術分野】
【０００１】
本発明は、複数の噴口を有する燃料噴射弁を備えた火花点火式直噴エンジンに関するものである。
【背景技術】
【０００２】
従来、点火プラグを備えるとともに、燃料を燃焼室内に直接供給する燃料噴射弁（インジェクタ）を備え、成層燃焼を行うことによって燃費改善を図るようにして火花点火式直噴エンジンが知られている。成層燃焼のために、燃料噴射弁の噴口を直接電極に指向させた場合は、電極に燃料が液滴となって付着し易く、着火性が悪化するという問題がある。このため、下記特許文献１に示すように、燃焼室周縁部に配設した燃料噴射弁を、例えば８つの噴口を有するマルチホール型として、そのうちの３つの噴口を、点火プラグの電極近傍の下方に指向された下側噴口（特定噴口）、電極近傍で左方に指向された左側噴口、電極近傍で右方に指向された右側噴口として、この３つの噴口からの燃料噴霧によって電極近傍に濃混合気層を形成する成層化を得るようにしたものが開示されている。
【０００３】
また、特許文献１には、上記３つの噴口以外の５つの噴口を、均一燃焼のために、電極から離れた部分となるピストン頂面に指向させたものが開示されている。そして、特許文献１のものでは、燃料噴射弁の軸心にもっとも近い軸線（軸心）を有する噴口が、ピストン側が噴口のうち下側噴口の真下方向に位置される噴口となるように設定されたものが開示されている。
【０００４】
また、特許文献１には、さらに次のような技術内容も開示されている。すなわち、エンジンの低回転・低負荷域となる所定運転領域において、成層燃焼のために、圧縮行程途中で燃料噴射を行って電極周りにリッチな混合気を生成する一方、その他の運転領域では吸気行程中に燃料噴射を行って均一燃焼を行うことが開示されている。また、複数の噴口から噴射された燃料噴霧同士の相互干渉効果を利用して、点火プラグの電極周りに効果的にリッチとすることも提案されている。なお、特許文献２にも、特許文献１と同様なマルチホール型の燃料噴射弁を燃焼室周縁部に設けたものが開示されている。
【０００５】
さらに、特許文献３には、マルチホール型燃料噴射弁を、点火プラグと同様に燃焼室の略中央部に設けたものが開示されている。この特許文献３のものは、燃料噴射弁からの燃料噴霧をピストン頂面に指向させて、ピストン頂面で反射されて上昇される燃料噴霧が電極近傍を通過するようにしたものとなっている。
【特許文献１】特開２００５−９８１１９号公報
【特許文献２】特開２００５−２７３５５４号公報
【特許文献３】特開２００５−２５６７９１号公報
【発明の開示】
【発明が解決しようとする課題】
【０００６】
ところで、成層燃焼のために、燃料噴射弁の噴口を電極近傍に指向させた場合、電極近傍の下方（電極先端の延長方向）に指向される下側噴口からの燃料噴霧がもっとも重要となる。この下側噴口（特定噴口）からの燃料噴霧が、電極から上下方向（気筒軸線方向）に大きく位置ずれしてしまうことは、電極周りに適正な濃混合気層を形成する上で、また燃料噴霧が直接電極に当接しないようにする上で重要となる。
【０００７】
一方、エンジンにおいては、各気筒間であらかじめ点火順が設定されており、エンジン始動のためにクランキングが行われたときに、クランキング後に燃料噴射がもっとも早い時期となる気筒について初回の点火が行われて、その後は、上記点火順にしたがった点火が行われることになる。例えば、直列４気筒エンジンにおいて点火順が、３番気筒、２番気筒、４番気筒、１番気筒の順に設定されているとき、エンジン始動時において、例えば４番気筒から点火が開始されたときは、順次１番気筒、３番気筒、２番気筒というようになるが、各気筒間においてクランキング後にもっとも始めに点火が行われる気筒がどの気筒になるのかということは確定していないものとなる。
【０００８】
ところで、燃料噴射弁は製造誤差を有するものであり、例えば燃料噴射弁の軸線と各噴口の軸線との間の開き角等に若干の製造誤差例えば±３．５度程度の誤差を有するものである。また、点火プラグについては、その製造誤差によって、燃焼室内への突出量が相違するものであり、特に絶縁碍子部分を極めて精度よく仕上げるのが難しいために、燃焼室内への電極の突出量というものについてもある程度の誤差（例えば±０．７ｍｍ）は避けられないものとなる。
【０００９】
上述のように、点火プラグおよび燃料噴射弁の双方の製造誤差によって、各気筒間において、電極先端と特定噴口（下側噴口）との距離にかなりの相違を生じることになる。とりわけ、上記距離が近い気筒においては、特定噴口からの燃料噴霧によって電極周りがリッチになり易くて、上記距離が大きい気筒に比して、比較的大きな燃焼トルクを得やすいものとなる。
【００１０】
成層燃焼を行うエンジンは、燃費の点で極めて優れているということから、例えばアイドルストップが行われる車両に搭載されたり、あるいはモータとエンジンの両方を走行駆動源とするハイブリッド車に適用して好ましいものとなる。このように頻繁にエンジンの停止と始動とが繰り返される状況で使用される場合、エンジン始動をいかに迅速に行うかということが問題となる。
【００１１】
本発明は、以上のような事情を勘案してなされたもので、その目的は、エンジン始動、特に温間時でのエンジン始動を迅速に行えるようにした火花点火式直噴エンジンを提供することにある。
【課題を解決するための手段】
【００１２】
前記目的を達成するため、本発明における火花点火式直噴エンジンにあっては次のような第１の解決手法を採択してある。すなわち、特許請求の範囲における請求項１に記載のように、
各気筒毎に、燃焼室内に電極が突出された点火プラグと燃焼室内に直接燃料噴射を行う複数の噴口を有するマルチホール型の燃料噴射弁とが設けられ、
各気筒において、前記複数の噴口のうち一部の特定噴口の軸線が、前記電極下方の所定位置に指向された火花点火式直噴エンジンにおいて、
各気筒について、前記点火プラグの軸線上における前記電極と前記特定噴口の軸線との間の距離に関連した値となる距離データを把握する距離データ把握手段と、
あらかじめ設定された所定温度を超える温間時でのエンジン始動時において、クランキング開始直後に最初に混合気に対して点火を行う初爆気筒を、前記距離データ把握手段で得ている前記距離が最大となっている特定気筒以外の他の気筒に設定する初爆気筒設定手段と、
を備えているようにしてある。上記解決手法によれば、温間時におけるエンジン始動時には、電極と特定噴口の軸線との距離がもっとも大きい特定気筒以外の気筒、つまり燃料噴霧によって相対的にリッチになる気筒を初爆気筒とするようにしてあるので、初回の点火での着火を確実に行いつつそのときの燃焼トルクが大きなものとなるようにして、エンジン回転数をすみやかに上昇させ、この分噴射される燃料の圧力も上昇されて、これ以後に噴射される燃料の微粒化が促進されて、以後に点火される気筒の着火性ひいては燃焼トルクも向上されることになる。このようにして、温間時でのエンジン始動を迅速に行うことが可能になる。
【００１３】
上記解決手法を前提とした好ましい態様は、特許請求の範囲における請求項２〜請求項５に記載のとおりである。すなわち、
前記距離データ把握手段が、前記電極を通して流れるイオン電流を検出する電流検出手段と、該電流検出手段によって検出されたイオン電流の大きさを記憶する記憶手段とから構成されている、ようにしてある（請求項２対応）。この場合、検出されるイオン電流は、電極回りに存在する混合気の空燃比に応じた大きさとなり、イオン電流に対応した空燃比がリーンであることは電極と特定噴口からの燃料噴霧との距離が大きいと判断することができる。
【００１４】
前記距離データ把握手段が、前記電極の燃焼室内への突出量と前記特定噴口の軸線位置に関するデータとに基づいて決定された前記距離データを記憶する記憶手段を備えている、ようにしてある（請求項３対応）。この場合、電極と特定噴口の軸線との距離の相違に極めて大きな影響を与える電極の燃焼室内への突出量と特定噴口の軸線位置に関するデータとに基づいて、各気筒について電極と特定噴口からの燃料噴霧との距離を決定することができる。
【００１５】
前記初爆気筒設定手段によって設定される前記他の気筒が、前記距離データ把握手段で得ている前記距離が最小となっている気筒とされる、ようにしてある（請求項４対応）。この場合、もっとも電極周りがリッチになる気筒を初爆気筒とすることにより、請求項１に対応した効果をもっとも十分に発揮させることができる。
【００１６】
【００１７】
前記温間時でのエンジン始動時には、圧縮行程後半に燃料噴射が行われる、ようにしてある（請求項５対応）。この場合、圧縮行程後半での燃料噴射によって吸気行程や圧縮行程前半で燃料噴射を行う場合に比して、電極周りを十分にリッチ化して、エンジン始動をより迅速に行う上で好ましいものとなる。
【００１８】
前記目的を達成するため、本発明における火花点火式直噴エンジンにあっては次のような第２の解決手法を採択してある。すなわち、特許請求の範囲における請求項６に記載のように、
各気筒毎に、燃焼室内に電極が突出された点火プラグと燃焼室内に直接燃料噴射を行う複数の噴口を有するマルチホール型の燃料噴射弁とが設けられ、
各気筒において、前記複数の噴口のうち一部の特定噴口の軸線が、前記電極下方の所定位置に指向された火花点火式直噴エンジンにおいて、
各気筒について、前記点火プラグの軸線上における前記電極と前記特定噴口の軸線との間の距離に関連した値となる距離データを把握する距離データ把握手段と、
エンジン冷機時において、各気筒間について角速度の変動状態を検出する角速度変動検出手段と、
前記角速度検出手段で検出される気筒間での角速度の変動が小さいときは、あらかじめ設定された所定温度を超える温間時でのエンジン始動時において、クランキング開始直後に最初に混合気に対して点火を行う初爆気筒を、前記距離データ把握手段で得ている前記距離が最小となっている最小気筒に設定する初爆気筒設定手段と、
を備えているようにしてある。気筒間において角速度変動が小さいということは、気筒間での燃焼トルクの差が小さいときであるが、このときは、電極周りがもっともリッチになっている距離最小の気筒を初爆気筒とすることにより、エンジン始動を迅速に行なうことができる。
【００１９】
上記第２の解決手法を前提とした好ましい態様は、特許請求の範囲における請求項７に記載のとおりである。すなわち、
前記初爆気筒設定手段は、前記角速度検出手段で検出される気筒間での角速度の変動が大きいときは、あらかじめ設定された所定温度を超える温間時でのエンジン始動時において、クランキング開始直後に最初に混合気に対して点火を行う初爆気筒を、角速度が大きい気筒に設定する、ようにしてある（請求項７対応）。この場合、気筒間の角速度が大きいということは、角速度が大きい気筒は燃焼トルクが大きいということであり、したがって、角速度が大きい気筒を初爆気筒とすることにより、エンジン始動を迅速に行うことができる。
【００２０】
前記目的を達成するため、本発明における火花点火式直噴エンジンにあっては次のような第３の解決手法を採択してある。すなわち、特許請求の範囲における請求項８に記載のように、
各気筒毎に、燃焼室内に電極が突出された点火プラグと燃焼室内に直接燃料噴射を行う複数の噴口を有するマルチホール型の燃料噴射弁とが設けられ、
各気筒において、前記複数の噴口のうち一部の特定噴口の軸線が、前記電極下方の所定位置に指向された火花点火式直噴エンジンにおいて、
各気筒間において、前記点火プラグの軸線上における前記電極と前記特定噴口の軸線との間の距離がもっとも小さくなる最小気筒を記憶している記憶手段と、
あらかじめ設定された所定温度を超える温間時でのエンジン始動時において、クランキング開始直後に最初に混合気に対して点火を行う初爆気筒を、前記記憶手段に記憶されている前記最小気筒に設定する初爆気筒設定手段と、
を備えているようにしてある。上記解決手法によれば、請求項４に対応した効果と同様の効果を得ることができる。
【００２１】
【００２２】
上記各解決手法を前提とした好ましい態様は、特許請求の範囲における請求項９、請求項１０に記載のとおりである。すなわち、
前記電極が燃焼室の略中央部に配設され、
前記燃料噴射弁が、燃焼室周縁部に配設されて、前記複数の噴口として、前記特定噴口の他に、ピストン頂面方向に指向される他の噴口を有し、
各気筒について、それぞれ２つの吸気弁が設けられ、
前記燃料噴射弁が前記２つの吸気弁間に位置されている、
ようにしてある（請求項９対応）。この場合、燃料噴射弁を燃焼室周縁部に設けたいわゆるサイド噴射とされる。そして、一部の噴口はピストン頂面に指向されているので、もっぱら電極回りをリッチ化する成層燃焼の他に、気筒内に極力均一に燃料分布させた均一燃焼を行う場合にも対応できる噴射態様を得ることが可能となる。また、特に自動車用として広く普及している吸気２弁式のエンジンに本発明を適用する上で好ましいものとなると共に、燃料噴射弁を、２つの吸気弁の間という大きな空間を有効に利用して配設することができる。
【００２３】
前記電極近傍に指向される噴口として、前記特定噴口の他に、該電極の左側方に指向された左側方噴口と、該電極の右側方に指向された右側方噴口とを有し、
前記特定噴口、左側方噴口および右側方噴口の各噴口から前記電極までの距離が２０ｍｍ以上に設定され、
前記特定噴口と前記左側方噴口とのなす開き角が１５度〜２５の度の範囲に設定されて、エンジンの低回転・低負荷域となる所定運転領域で該特定噴口からの燃料噴霧と該左側方噴口からの燃料噴霧が相互干渉効果によって互いに連続したものとなるように設定され、
前記特定噴口と前記右側方噴口とのなす開き角が１５度〜２５の度の範囲に設定されて、前記所定運転領域で該特定噴口からの燃料噴霧と該右側方噴口からの燃料噴霧が相互干渉効果によって互いに連続したものとなるように設定されている、
ようにしてある（請求項１０対応）。この場合、電極周りでの成層化状態が、燃料噴射弁から電極を見たとき、濃混合気が略Ｖ字状となって電極の下方および左右側方を囲んだ状態となって、成層化として極めて好ましい状態が得られる。
【発明の効果】
【００２４】
本発明によれば、温間時でのエンジン始動を迅速に行うことができる。
【発明を実施するための最良の形態】
【００２５】
以下に、図面を参照しつつ本発明の実施形態について説明するが、まず全体の概要について説明し、その後、燃焼室内への電極突出量に応じた特定噴口の軸線位置の設定（燃料噴射弁の選択）の点、およびエンジン始動時における初爆気筒の選択の点について説明する。
【００２６】
図１は、火花点火式直噴エンジン１を示し、このエンジン１は、紙面直角方向に直列に複数の気筒２を有する直列多気筒（実施形態では４気筒）エンジンとされている（図１では１つの気筒のみが示される）。各気筒２は、シリンダブロック３と、このシリンダブロック３上に配置されたシリンダヘッド４とを有しており、気筒２内にはピストン５が上下方向に往復動可能に嵌挿されている。このピストン５とシリンダヘッド４との間の気筒２内には燃焼室６が区画されている。燃焼室６は、気筒２の天井部における略中央部からシリンダヘッド４の下端面付近まで延びる２つの傾斜面を有するいわゆるペントルーフ型燃焼室とされている。
【００２７】
シリンダヘッド４には、図２に示すように、２つの吸気ポート１０（２つの吸気ポートを区別するときは符合１０Ａ、１０Ｂでもって示すこととする）と、２つの排気ポート１１とが形成されている（図１ではいずれも１つのみ開示）。この２つの吸気ポート１０は、その各一端が各気筒２天井部における傾斜面の一方から燃焼室６に開口され、その各他端側が燃焼室６から斜め上方に延びて、エンジン１の一側面（図１中右側面）に互いに独立して開口されている。各吸気ポート１０の燃焼室６側の開口端には、それぞれ所定のタイミングで開閉作動される吸気弁１２が配置されている（図１ではいずれも１つのみ開示）。２つの排気ポート１１には、その各一端が各気筒２の天井部における傾斜面の他方から燃焼室６に開口され、その各他端側は、途中で１つに合流した後略水平に延びてエンジン１の他端面（図１中左側面）に開口されている。各排気ポート１１の燃焼室６側の開口端には、それぞれ所定のタイミングで開閉作動される排気弁１３が配置されている（図１ではいずれも１つのみ開示）。
【００２８】
各吸気ポート１０は、吸気通路３０に接続されている。この吸気通路３０には、それぞれ図示を略すが、その上流側から下流側へ順次、エアクリーナ、吸入空気量センサ、スロットル弁、サージタンク等が配設されている。なお、上記スロットル弁は、実施形態では、アクセルペダルとは機械的な連係が遮断されて、アクセル開度に応じて電子的にその開度が変更制御されるようになっている。また、上記サージタンクは、各気筒毎に対して個々独立した独立分岐管によって接続されている（図２で示す吸気通路３０はこの独立分岐管が示される）。
【００２９】
各排気ポート１１は、排気通路３１に接続されている。この排気通路３１には、それぞれ図示を略すが、その上流側から下流側へ順次、リニア酸素センサ、三元触媒、ＮＯｘ吸収剤が配設されている。なお、上記リニア酸素センサは、排気中の酸素濃度に基づいて空燃比を検出するために用いられるもので、理論空燃比を含む所定範囲において酸素濃度に対してリニアな出力が得られるようになっている。また、ＮＯｘ吸収剤は、排気中の酸素濃度の高い雰囲気でＮＯｘを吸収する一方、酸素濃度の低下に伴い吸収したＮＯｘを放出し、その放出ＮＯｘを排気中のＨＣ、ＣＯ等により還元浄化するＮＯｘ吸収還元タイプのものとされている。
【００３０】
燃焼室６の上部には、４つの吸排気ポート１０，１１（４つの吸排気弁１２、１３）に囲まれた燃焼室６の略中心に、点火プラグ１６が配設されている（図２をも参照）。この点火プラグ１６の先端の電極Ｅは、燃焼室６の天井部から所定距離だけ突出した位置にある。また、燃焼室６の周縁部には、２つの吸気ポート１０間で、その各吸気ポート１０下方において、燃料噴射弁１８が配設されている。この燃料噴射弁１８は、複数の噴口、具体的には６つの噴口を備えたマルチホール型の燃料噴射弁とされている。各噴口は、当該各噴口から噴射される燃料噴霧が後述するよう点火プラグ１６の電極Ｅ近傍及びピストン５上方側に指向するよう、その燃料噴射弁１８の燃料噴射方向が設定されている。
【００３１】
図２において、一方の吸気ポート１０Ａに関連して、スワール弁４０が設けられている。すなわち、２つの吸気ポート１０Ａと１０Ｂとは、シリンダヘッド４内において隔壁４ａによって互いに個々独立されている一方、吸気通路３０の下流端部（独立分岐管の下流端部）には、隔壁４ａに連なる隔壁３０ａが形成されて、２つの吸気ポート１０Ａと１０Ｂとは、燃焼室６側から上流側に向けて所定距離だけ互いに独立した通路となるように構成されている。そして、隔壁３０ａには、一方の吸気ポート１０Ａの開度変更を行うスワール弁４０が配設され、このスワール弁４０の駆動が電磁式のアクチュエータ４０ａによって行われる。これにより、スワール弁４０を全開としたときは、２つの吸気ポート１０Ａ、１０Ｂからほぼ同量の吸気が導入されて、燃焼室６内でのスワールの生成は実質的に行われないことになる。スワール弁４０を全閉とすることにより、他方の吸気ポート１０Ｂからのみ燃焼室６内に吸気が供給されて、燃焼室６内には図２矢印で示すように吸気のスワールが生成されることになる。スワール弁４０の開度を調整することにより、スワールの強さが変更される。
【００３２】
図３に示すように、燃料噴射弁１８の基端部には、全気筒２に共通の燃料分配管１９が接続されており、その燃料分配管１９は、燃料供給系２０から供給される高圧の燃料を各気筒２に分配供給するようになっている。この燃料供給系２０は、燃料分配管１９と燃料タンク２１とを接続する燃料通路２２を有し、この燃料通路２２には、その上流側から下流側に向けて順次、低圧燃料ポンプ２３、低圧レギュレータ２４、燃料フィルタ２５、高圧燃料ポンプ２６及び燃圧を調節可能とされる高圧レギュレータ２７が接続されている。高圧燃料ポンプ２６及び高圧レギュレータ２７は、リターン通路２９により燃料タンク２１側に接続されている。なお、符合２８は、燃料タンク２１側に戻す燃料の圧力状態を整える低圧レギュレータである。これにより、低圧燃料ポンプ２３により燃料タンク２１から吸い上げられた燃料は、低圧レギュレータ２４により調圧された後、燃料フィルタ２５を介して高圧燃料ポンプ２６に圧送される。そして、高圧燃料ポンプ２６によって昇圧した燃料の一部を高圧レギュレータ２７により流量調節しながらリターン通路２９によって燃料タンク２１側に戻すことで、燃料分配管１９へ供給する燃料の圧力状態を適正値、例えば、１２ＭＰａ〜２０ＭＰａに調整する。
【００３３】
図４には、エンジン１を制御するための制御系統が示される。この図４において、５０は、マイクロコンピュータを利用して構成されたコントローラ（制御ユニット）である。このコントローラ５０によって、点火回路１７（点火時期制御用）、燃料噴射弁１８（燃料噴射量および燃料噴射タイミング制御用）、燃料供給系２０の高圧レギュレータ２７（燃圧調整用）、スワール弁４０（のアクチュエータ４０ａ）が制御される他、前述した吸気通路３０に配設された電子制御式のスロットル弁が制御される。このコントローラ５０には、エンジン回転数センサＳ１からのエンジン回転数信号、アクセル開度センサＳ２からのアクセル開度信号、温度センサＳ３からのエンジン冷却水温度信号が、クランク角センサＳ４からのクランク角信号、外気温センサＳ５で検出された外気温度、後述するイオン電流検出回路４２で検出されたイオン電流の大きさが入力される。
【００３４】
次に、コントローラ５０による制御の内容について説明する。
１．燃料噴射制御
燃料噴射制御は、エンジン温度に応じて燃料噴射制御マップが切換えられ、その切換えられたマップに従ってその制御が行われる。燃料噴射制御マップは、エンジン温度が所定値（例えば６０度Ｃ）以上の温間時は、図５に示す温間時のマップが選択される。温間時のマップは、エンジンの運転状態が低負荷・低回転の所定運転領域にある時、成層燃焼領域
とされ、その他の運転領域では均一燃焼領域とされる。また、冷間時の燃料噴射制御マップは、図示を略すが、全ての運転領域において均一燃焼領域とされる。
【００３５】
成層燃焼領域では、燃料噴射弁１８による燃料噴射時期を圧縮行程の所定時期、例えば、一括噴射の場合、圧縮上死点前（ＢＴＤＣ）０°〜６０°の範囲に燃料を噴射させて、点火プラグ１６の近傍に混合気が層状に偏在する状態で燃焼させる成層燃焼が行われる。この成層燃焼領域では、混合気の空燃比が理論空燃比よりもリーン側になるように、燃料噴射量やスロットル開度が制御される。また、成層燃焼領域以外の領域は、均一燃焼領域とされており、吸気行程において燃料噴射弁１８から燃料を噴射させて吸気と十分に混合し、燃焼室６内に均一な混合気を形成した上で燃焼させる均一燃焼が行われる。この均一燃焼領域では、大部分の運転領域で混合気の空燃比が略理論空燃比（Ａ／Ｆ≒１４．７）になるように、燃料噴射量やスロットル開度が制御されるが、全負荷運転状態では、空燃比を理論空燃比よりもリッチな空燃比（Ａ／Ｆ＝１３程度）に制御して、高負荷に対応した大出力が得られるようになっている。なお、エンジン冷間時は、前述したように、全運転領域において均一燃焼が行われる（空燃比は理論空燃比あるいはそれよりもリッチ）。
【００３６】
また、上記低回転・低負荷域となる所定運転領域での高負荷域では、図７に示すように、例えば２段階での分割噴射が実行される。図７に示す分割噴射では、遅い時期に燃料噴射が行われる後段噴射の開始は、例えばＢＴＤＣ３０度〜４０度の範囲に設定され、早い時期に燃料噴射が行われる前段噴射は、後段噴射時期よりも例えばクランク角で４０度程度早い時期に噴射が開始される。上記所定運転領域での高負荷域において、要求される燃料噴射量のうち、後段噴射で噴射される燃料量はほぼ一定量とされて、燃料噴射量の変更は、前段噴射での燃料噴射量の変更によって行われる。
【００３７】
２．燃圧制御
燃圧制御は、エンジン温度に応じて燃圧制御マップが切換えられ、その切換えられたマップに従ってその制御が行われる。燃圧制御マップは、エンジン温度が所定値（例えば、６０度Ｃ）以上の温間時は、図６に示す温間時のマップが選択される。この図６のマップでは、成層燃焼領域では、エンジン回転数の増大に応じて燃圧が徐々に大きくなるように変化され（最低燃圧ａ１が例えば１２ＭＰａとされ、最高燃圧ａ２が例えば２０ＭＰａとされる）。また、均一燃焼領域では、常時、成層燃焼領域での最高燃圧ａ２という一定値とされて、エンジン回転数上昇に伴う燃圧上昇が抑制された状態となる。なお、エンジン温度が所定値よりも低い冷間時は、常時、成層燃焼領域での最高燃圧ａ２に相当する燃圧とされる。また、エンジン始動時の燃圧は、高圧燃料ポンプ２６がカム軸によって駆動される関係で燃圧が十分に上がらないことから、例えば、０．５ＭＰａ程度になっている。
【００３８】
３．スワール制御
エンジン低回転・低負荷域となる所定運転領域では、スワール弁４０が開かれて、燃焼室６内に吸気のスワールが生成される。この場合、スワール弁４０の開度は、上記所定運転領域においては、エンジン負荷の大小にかかわらず例えば常に全閉としてもよいが、低負荷域では開度が大きくされ（全開に近い）、エンジン負荷の増大に伴って徐々に開度が小さくされ、高負荷域で全閉となるように設定することもできる。
【００３９】
次に、図８〜図１１を参照しつつ、燃料噴射弁１８の各噴口について詳述する。まず、図８〜図１０は、燃料噴射弁１８の各噴口から噴射された燃料噴霧の状態を互いに異なる方向から見た状態を示すものである。また、図１１は、マルチホール型の燃料噴射弁１８の軸線を中心に燃料噴射方向先端側を見た時の軸線に対する各噴口の軸線との三次元傾斜角を模式的に示した図である。
【００４０】
図１１において、ＬＢはマルチホール型の燃料噴射弁１８の軸線、Ｌ１ないしＬ６は第１噴口〜第６噴口の各軸線、Ａ１〜Ａ６は第１噴口〜第６噴口から噴射された燃料の噴霧角、Ｅは点火プラグの電極を示している。全噴口の噴口径は同一とされており、例えば、０．１５ｍｍに設定されている。ピストン軸線方向から見たとき、点火プラグ１６の電極Ｅを通る気筒２の直径方向延長線上に、燃料噴射弁１８の軸線ＬＢが位置するように、燃料噴射弁１８が配設されている。図１１において、軸線ＬＢを中心とする径方向の目盛りは、１目盛りが５度の開き角を示しており、また、軸線ＬＢを中心とする周方向の目盛りは、１目盛りが１５度の開き角を示している。
【００４１】
各噴口の軸線の位置関係について説明すると、まず、点火プラグ１６の電極Ｅ周りに濃混合気を成層化するための噴口が、第１噴口〜第３噴口とされている。この第１噴口は下側噴口あるいは特定噴口となるもので、その軸線Ｌ１は、軸線ＬＢから電極Ｅ近傍で下方の所定位置に指向するよう配置されている。なお、第１噴口の軸線Ｌ１、噴霧角Ａ１は、２つの吸気弁１２の最大リフト位置の間に位置、つまり、吸気弁の可動範囲外に位置されている。また、第２噴口は、左側噴口となるもので、その軸線Ｌ２は、軸線ＬＢから電極Ｅ近傍で側方（図中左側）の所定位置に指向するよう配置されている。さらに、第３噴口は右側噴口となるもので、その軸線Ｌ３は、軸線ＬＢから電極Ｅ近傍で側方（図中右側）の所定位置に指向するよう配置されている。なお、第２噴口の軸線Ｌ２、噴霧角Ａ２、第３噴口の軸線Ｌ３、噴霧角Ａ３は、ともに吸気弁１２の最大リフト位置の可動範囲内に位置されている。このように、第１噴口と第２噴口と第３噴口との各軸線は、電極Ｅの近傍を指向しつつ、しかも下方および左右側方から電極Ｅを取り囲むように設定されている。
【００４２】
第４噴口〜第６噴口は、それぞれピストン側噴口となるもので、電極Ｅ近傍以外となるピストン頂面に向けて燃料噴射を行うものである。第４噴口の軸線Ｌ４は、軸線ＬＢからピストン側（図中下方側）でピストン下死点位置よりも上方側の所定位置（図中左側）に指向するよう配置されている。第５噴口の軸線Ｌ５は、軸線ＬＢからピストン側（図中下方側）で、ピストン下死点位置よりも上方側の所定位置（図中センター位置で、第１噴口の軸線Ｌ１の真下位置）に指向するよう配置されている。第６噴口の軸線Ｌ６は、軸線ＬＢからピストン側（図中下方側）でピストン下死点位置よりも上方側の所定位置（図中右側）に指向するよう配置されている。なお、全噴口から噴射された全体の燃料噴霧は、軸線ＬＢを中心とする７０°以下の円錐空間内に収まるように設定されている。
【００４３】
電極Ｅ周りに燃料噴霧を噴射する３つの噴口、つまり下側噴口、左側噴口、右側噴口のうち、下側噴口の燃料噴霧のペネトレーションが左側噴口と右側噴口からのペネトレーションよりも大きくなるように、下側噴口の軸長が左側噴口の軸長および右側噴口の軸長よりも長く設定されている。なお、電極Ｅ周り以外に燃料噴霧を噴射する各ピストン側噴口の軸長は、左側噴口の軸長および右側噴口の軸長と同一に設定されている。以上に加えて、全噴口のうち下側噴口の軸線Ｌ１が、燃料噴射弁１８の軸線ＬＢにもっとも近い位置となるように設定されており、しかも軸線Ｌ１の軸線ＬＢに対する開き角も、他の噴口における軸線Ｌ２〜Ｌ６の軸線ＬＢに対する開き角よりも小さくなるように設定されている。
【００４４】
以上説明したように、点火プラグの電極Ｅの下方及び両側方に、第１噴口〜第３噴口の軸線Ｌ１〜Ｌ３が配置されているため、成層燃焼時、点火プラグの電極Ｅ近傍に微粒化された混合気を集めることができ、着火性を向上することができる。また、軸線ＬＢよりもピストン側に第４噴口〜第６噴口の軸線Ｌ４〜Ｌ６が配置されているため、燃焼室６全体に混合気を存在させることができ、均一燃焼時における混合気の均質化を向上することができる。また、第１噴口と第４噴口〜第６噴口の各軸線Ｌ１、Ｌ４〜Ｌ６は、吸気弁１２の可動範囲外に配置されるため、多噴口としながらも大半の噴口を吸気弁１２の可動範囲外に配置でき、各噴口から噴射される燃料噴霧が吸気弁１２に衝突することを抑制することができる。
【００４５】
ここで、点火プラグの電極Ｅ近傍に配置される第１噴口〜第３噴口の各軸線Ｌ１〜Ｌ３とは、相互干渉効果を得るために、次のような関係に設定されている。すなわち、第１噴口〜第３噴口（第４噴口〜第６噴口についても同じ）は、電極Ｅに対して２０ｍｍ以上離間した距離とされている。また、第１噴口の軸線Ｌ１と第２噴口の軸線Ｌ２との開き角が１５度〜２５度の範囲（実施形態では２０度）となるように設定され、かつ、第１噴口の軸線Ｌ１と第３噴口の軸線Ｌ３との開き角が１５度〜２５度の範囲（実施形態では２０度）となるように設定されている。これにより、第１噴口からの燃料噴霧と第２噴口からの燃料噴霧とが相互干渉効果によって電極Ｅ近傍で互いに連続したものとなり、同様に、第１噴口からの燃料噴霧と第３噴口からの燃料噴霧とが相互干渉効果によって電極Ｅ近傍で互いに連続したものとなる。この相互干渉効果が得られた状態では、図１１において、電極Ｅ近傍において、軸線Ｌ１からＬ２に向けて伸びる連続した燃料噴霧が生成され、かつ軸線Ｌ１から軸線Ｌ３に向けて伸びる連続した燃料噴霧が生成されることになる（図１１において連続した燃料噴霧の形状が略Ｖ字形状となる）。下側噴口からの燃料噴霧のペネトレーションが、左側噴口および右側噴口からの燃料噴霧のペネトレーションよりも大きくなるように設定することにより、相互干渉効果によって、軸線Ｌ１が電極Ｅに対して下方から接近する方向へと大きく移動されてしまう事態が防止あるいは抑制されることになる。
【００４６】
ここで、エンジン低回転・低負荷域での高負荷域では、筒内圧力が大きくなるため、各噴口から噴射された燃料噴霧のペネトレーションが小さくなる。このペネトレーションが小さくなるということは、特に成層化に関連した第１噴口〜第３噴口から噴射された燃料噴霧が、電極Ｅを通りすぎて反対側のシリンダ壁に向かう割合が減少して、電極Ｅ付近に留まる割合が大きくなることを意味する。したがって、成層化を行う所定運転領域において、特に所定運転領域の高負荷域において、スワールを生成することにより、電極Ｅ周りの濃混合気層が、気筒軸線方向から見たとき、電極Ｅを通って燃料噴射弁の軸線と直交する方向のうち、スワールに乗る側に移動、拡散されるので、この高負荷域において電極Ｅ周りが過度にリッチになりすぎるのを防止する上で好ましいものとなる。
【００４７】
上述した電極Ｅ周りでの過度なリッチ化防止のために、前述のように、スワール生成が行われると共に、圧縮行程中での分割噴射が実行される。スワール生成により、電極Ｅを取り囲んでいた濃混合気層はスワールの勢いによって、全体的に電極Ｅからシリンダ壁面方向へと移動されて、電極Ｅ周辺のうち、濃混合気層の移動方向とは反対側には濃混合気層が位置されない状態となる。これにより、初期燃焼割合が低減されて、燃費向上となる。とりわけ、エンジン低回転・低負荷域での低負荷域から、エンジン負荷の増大に伴って徐々にスワールの強さを強くする（スワール弁の開度をエンジン負荷の増大に応じて徐々に小さくする）ことにより、燃料噴射量の増大に応じた適切な強さのスワールとして、電極Ｅ周りに生成される濃混合気層を、着火性を確保しつつ燃費向上を図ることのできる最適な状態に設定することができる。
【００４８】
以上に加えて、前述した分割噴射を行うことによって、一括噴射（例えば図７後段噴射時期で全ての燃料噴射量を実行する噴射）を行う場合に比して、電極Ｅ周りの濃混合気層生成をより一層促進することができる。すなわち、同じ量の燃料噴射を行う場合であっても、分割噴射の場合は、前段噴射された分の燃料噴霧は、電極Ｅへの通電（点火）実行までの期間に燃焼室６内においてかなりの割合が拡散されてしまい、電極Ｅ周りでの濃混合気層生成には殆ど寄与しないこととなる（後段噴射された燃料噴霧のみが実質的に電極Ｅ周りでの濃混合気層生成に寄与する）。エンジン低回転・低負荷域となる所定運転領域での電極Ｅ周りの混合気濃度は、該所定運転領域での低負荷域での電極Ｅ周りの混合気濃度とほぼ同程度となるように設定するのが好ましいものである。
【００４９】
図１２，図１３は、燃料噴射弁１８のシリンダヘッド４に対する取付例を示すものである。図中、４５はシリンダヘッド４に形成された取付孔であり、図１２では、取付孔４５がシリンダヘッド４の外部への開口端面に開口されている様子が示される。シリンダヘッド４の外側端面には、取付孔４５の周縁部において、２つの位置決め用の突起部４ｃ、４ｄが形成されている。この２つの突起部４ｃと４ｄとの間の距離（相対向する面の間の距離）は、所定寸法となるように精度よく仕上げられている。
【００５０】
燃料噴射弁１８は、前記取付孔４５にがたつきなく挿入される筒部１８ｃと、筒部１８ｃの基端部からほぼ径方向に伸びる突起部１８ｄとを有し、この突起部１８ｄの先端部が、外部からの通電用のカプラが着脱自在に接続される接続端子部１８ｅとされている。なお、実施形態では、筒部１８ｃと突起部１８ｄとが一体成形されているが（電気的接続部分は除く）、突起部１８ｄを筒部１８ｃとは別体に形成して、後に互いに周方向および筒部１８ｃの軸線方向に移動しないように規制された状態で一体に組付するようにしてもよい。
【００５１】
燃料噴射弁１８のシリンダヘッド４に対する取付けは、その筒部１８ｃを所定深さまで取付孔４５に挿入することにより行われる。このとき、燃料噴射弁１８の突起部１８ｃが、シリンダヘッド４に形成された一対の突起部４ｃと４ｄとの間に位置される（挟まれる）。燃料噴射弁１８のｃ突起部１８ｃの幅は、一対の突起部４ｃと４ｄとの間の寸法に対応して精度よく仕上げられて、突起部１８ｃが、一対の突起部４ｃと４ｄとの間にがたつきなく挿入される状態とされる（この状態が図１３の状態である）。そして、図１３の取付状態においては、各噴口の電極Ｅに対する位置関係が図１１の状態となるように設定されている。このように、燃料噴射弁１８の突起部１８ｃは、シリンダヘッド４に形成された一対の突起部４ｃ、４ｄと共に、燃料噴射弁１８を所定の取付角度（回動角度）でもってシリンダヘッド４に取付けるための位置決め（用の治具）の機能をも果たすようになっている。前述したように、下側噴口の軸線Ｌ１が燃料噴射弁１８の軸線ＬＢにもっとも近い位置にあるため、燃料噴射弁１８をエンジンへの取付状態からその周方向に回動させたときに、軸線Ｌ１の電極Ｅに対する上下方向の距離の変動量が、他の軸線Ｌ２〜Ｌ６に比して軸線Ｌ１がもっとも小さいものとなる。すなわち、軸線Ｌ１と電極Ｅとの上下方向距離が極力一定値となるようにする上で好ましい設定となっている。
【００５２】
次に、燃焼室内への電極突出量に応じた特定噴口の軸線の位置設定（燃料噴射弁の選択）の点について、図１４〜図２１を参照しつつ説明する。まず、図１４は、シリンダヘッド４に実際に点火プラグ１６を取付けて、電極Ｅの燃焼室６（の上面）からの突出量を計測する一例を示している。なお、使用される点火プラグとしては、あらかじめの検査によって、点火プラグ１６のシリンダヘッド取付孔（の内面に設けられている係止段差面）に対する着座面から中央電極を覆う絶縁碍子先端までの長さの誤差が例えば±０．７ｍｍ以下のものを用いるようにしてある。このような誤差範囲の設定によって、特に大気圧状態（吸気行程および圧縮行程前半での気筒内の圧力状態に相当）において、特定噴口からの燃料噴霧が電極Ｅに直接当接しない態様とされ、しかも電極Ｅから離れすぎない態様とされる。シリンダヘッド４は、各気筒（実施形態では４気筒）に点火プラグ１６が取付けられた状態で、シリンダブロック側の合わせ面４ｇ側を上向にした状態で、基台Ｋ上に載置される。この状態で、例えばレーザ計測器ＬＳによって、各電極Ｅの先端（図１４では上端）の上記合わせ面４ｇからの距離が計測される。この計測結果が、コントローラ５０に内蔵されている記憶手段（メモリ）ＭＲに記憶される。なお、シリンダヘッド４は、その燃焼室形状等を含めて極めて精度よく仕上げられており、シリンダヘッド４そのものの製造誤差は、点火プラグ１６や燃料噴射弁１８（の噴口）の製造誤差に比して、無視できるものとなっている。なお、ＬＳ１はレーザ計測器ＬＳの発光部であり、ＬＳ２はレーザ計測器ＬＳの受光部である。
【００５３】
図１４で示す手法によって得られた計測データは、例えば図１５のようにされる。レーザ計測器ＬＳで得られるデータは、合わせ面４ｇと電極Ｅ先端とのなす距離であるので、この距離が小さいほど、電極Ｅ先端の燃焼室内からの突出量Ｙが大となる。図１５では、電極Ｅ先端の燃焼室内からの突出量が大きい方から小さい方へ順に、３番（ＮＯ３）気筒、１番（ＮＯ１）気筒、２番（ＮＯ２）気筒、４番（ＮＯ４）気筒となっている。
【００５４】
図１６は、燃料噴射弁１８の軸線ＬＢと特定噴口（第１噴口）の軸線Ｌ１とのなす角度θを示すものであり、あらかじめの検査によって、θの所定値からの誤差が例えば±３．５度以下とされた燃料噴射弁１８を用いるようにしてある。４気筒分となる合計４本の燃料噴射弁１８のθが計測されて、そのデータがＩＣタグ等によって各燃料噴射弁１８に付される。実際の計測値を、小さい方から多き方へ順に、θ１、θ２、θ３、θ４とされる。特に図１６から明確なように、θが大きいほど、特定噴口の軸線Ｌ１が、電極Ｅに接近した状態となる。
【００５５】
前述のように計測された電極Ｅの燃焼室内への突出量Ｙ（計測データはＹ１〜Ｙ４）と、角度θ（計測データはθ１〜θ４）とを照合して、その組み合わせが決定される。すなわち、突出量がもっとも大きいＹ１のデータ値を有する点火プラグ１６に対しては、もっとも小さい角度θ１を有する燃料噴射弁１８が対応付けられ、突出量が２番目に大きいＹ２のデータ値を有する点火プラグ１６に対しては、２番目に小さい角度θ２を有する燃料噴射弁１８が対応付けられ、突出量が３番目に大きいＹ３のデータ値を有する点火プラグ１６に対しては、３番目に小さい角度θ３を有する燃料噴射弁１８が対応付けられ、突出量がもっとも小さいＹ４のデータ値を有する点火プラグ１６に対しては、もっとも大きい角度θ４を有する燃料噴射弁１８が対応付けられる。そして、このようにして対応付けられた関係となるように、シリンダヘッド４に対して燃料噴射弁１８が選択的に組付けられ、組付完了状態が図１７に示される。なお、大気圧状態において、特定噴口からの燃料噴霧が電極と干渉しないようにされるが、特定噴口からの燃料噴霧の直径は電極Ｅ近傍において２ｍｍ程度である。
【００５６】
図１７の組付後において、各気筒における電極Ｅと特定噴口の軸線Ｌ１との距離Ｘが、大きい方から小さい方へ順にＸ１〜Ｘ４で示されるが、このＸ１〜Ｘ４は、Ｙ１〜Ｙ４とθ１〜θ４とに基づいて演算により算出される（例えばＸ１はＹ１とθ１とに基づいて参照されるということ）。このように、実施形態では、もっとも大きい距離Ｘ１とされた気筒が３番気筒とされ、２番目に大きい距離Ｘ２とされた気筒が４番気筒とされ、３番目に大きい距離Ｘ３とされた気筒が２番気筒とされ、もっとも小さい距離Ｘ４とされた気筒が１番気筒とされる。そして、前記記憶手段ＭＲには、上記距離Ｘ（Ｘ１〜Ｘ４）とこれに対応する気筒との関係が記憶されるが、少なくとも、もっとも大きい距離Ｘ１を有する気筒（３番気筒）、およびもっとも小さい距離Ｘ４を有する気筒（１番気筒）が記憶される。
【００５７】
図１８は、前述した点火プラグ１６と燃料噴射弁１８とを対応づけて組付ける手順をまとめて示すものである。すなわち、ステップＱ１において、実機用としてそのまま使用されるべきシリンダヘッド４に点火プラグ１６を取付け、次いでステップＱ２において、図１４に示すように各点火プラグ１６における電極Ｅの燃焼室内からの突出量を計測して、その計測結果（Ｙ１〜Ｙ４）を記憶手段ＭＲに記憶させる。ステップＱ２の後は、ステップＱ３において、点火プラグ１６が取付けられたシリンダヘッド４をシリンダブロックに組み付け、通常のエンジンの組立が行われる（クランクシャフト等の組付けも行われる）。
【００５８】
上記ステップＱ１〜Ｑ３とは並行して、ステップＱ５において、全気筒分の燃料噴射弁１８について、軸線ＬＢと特定噴口の軸線Ｌ１との角度θが計測される（θ１〜θ４の計測値を得る）。このステップＱ５で得られた計測値は、各燃料噴射弁１８にタグ等を利用して各燃料噴射弁１８特有のデータとして付される。なお、実施形態では、計測データθ（ステップＱ５での処理）は、エンジン組立工場とは別の場所、より具体的的には燃料噴射弁１８を製造する工場において得るようにしてあり、エンジン組立工場には、あらかじめ計測データθが付された燃料噴射弁１８が納入されるようになっている。
【００５９】
ステップＱ４では、シリンダブロック等に組付けられると共に既に点火プラグ１６が取付けられているシリンダヘッド４に対して、燃料噴射弁１８が取付けられる。この燃料噴射弁１８の取付の際には、電極Ｅの燃焼室内からの突出量Ｙ（Ｙ１〜Ｙ４）に応じて、角度θ（θ１〜θ４）の大きさを対応付けて行われる。
【００６０】
なお、ステップＱ２とステップＱ３との間で、シリンダヘッド４から各点火プラグ１６を全て取外して、ステップＱ４において再びシリンダヘッド４に各点火プラグ１６を取付けるようにしてもよい。この場合、シリンダヘッド４のシリンダブロック等への組付けを、従来同様に、点火プラグ１６が取付けられていない状態で行うことができる。また、ステップＱ２で得られた計測データとステップＱ５の計測で得られたデータとに基づいて、点火プラグ１６と燃料噴射弁１８とを対応付けておき（例えば１つの点火プラグ１６と１つの燃料噴射弁１８とからなる１気筒分のセット体を、全気筒分となる４セットに分けておく）、ステップＱ４において、１つの気筒毎にセット関係にある点火プラグ１６と燃料噴射弁１８とを取付けるようにすることもできる。
【００６１】
ここで、エンジン始動時における各気筒間での点火順について説明するが、点火順序（吸気行程順ともなる）が、例えば３番気筒、２番気筒、４番気筒、１番気筒というように設定されている。なお、エンジン始動の際に初爆される気筒が、極冷間時とそれ以外の温間時とで分けられているので、場合分けして説明する。
（１）極冷間時でのエンジン始動
極冷間時においては、各気筒間においてもっとも早く混合気に点火が行われる気筒が、次のように選択される。すなわち、エンジン冷機時を前提として、外気温度が例えば０度Ｃ以下の極冷間時には、もっとも大きい距離Ｘ１とされた３番気筒が選択されて、この選択気筒である３番気筒から点火が行われる（３番気筒の点火が行われた後は、通常の点火順での点火が行われる）。もっとも早く点火が行われる３番気筒においては、クランキング回転数程度の小さい回転数であるために、噴射燃料の圧力が十分に小さくて微粒化が十分に行われていない状態とされるが、もっとも大きいい距離Ｘ１とされているので、その電極Ｅが燃料によって濡れてしまうことがなく、確実に着火されることになる。
【００６２】
また、実施形態では、各気筒間において、極冷間時でのエンジン始動時にもっとも遅く点火されるのがもっとも小さい距離Ｘ４とされた１番気筒になるので、この１番気筒が点火されるまでにはエンジン回転数が十分に上昇して燃料噴射圧力も十分に上昇して、噴射される燃料の微粒化も十分促進されたものとなり、もっとも小さい距離Ｘ４とされた１番気筒での着火も確実に行われて、エンジン始動をより一層確実に行うことができる。なお、もっとも大きい距離Ｘ１とされた気筒についての点火が行われた後の点火順は、距離Ｘの大きさを考慮しないようにすることもできる。上述した、極冷間時でのエンジン始動時には、燃料の微粒化促進のために吸気行程での燃料噴射とされて、圧縮行程での燃料噴射は行われないようになっている。したがって、例えば、エンジン始動のためにクランキングしたときに、吸気行程となる気筒が特定気筒としての３番気筒以外の別の気筒（例えば１番気筒）であっても、この別の気筒に対しては吸気行程での燃料噴射や点火を行うことなく、３番気筒が吸気行程となった時点で始めて燃料噴射を行ってその後に３番気筒の点火が行われることとなる。
【００６３】
（２）温間時でのエンジン始動
エンジン冷機時であることを前提として、極冷間時以外でのエンジン始動時、例えば外気温度が０度Ｃを超えるときのエンジン始動は、迅速なエンジン始動のために、各気筒間においてもっとも早く混合気に点火が行われる気筒が、次のように選択される。すなわち、
もっとも小さい距離Ｘ４とされた１番気筒が最小気筒とされて、この最小気筒である１番気筒から点火が行われる（１番気筒の点火が行われた後は、通常の点火順での点火が行われる）。もっとも早く点火が行われる１番気筒においては、クランキング回転数程度の小さい回転数であるために、噴射燃料の圧力が十分に小さくて微粒化が十分に行われていない状態とされるが、もっとも小さい距離Ｘ１とされているので、その電極Ｅ回りには気筒間においてもっともリッチな混合気が存在することとなって、確実な着火が行われて、エンジン始動を迅速に行えることになる。この迅速なエンジン始動のためには、点火順に、距離Ｘが順次大きくなるように設定することもできる。
【００６４】
図１９は、図１８の変形例を示すものである。本実施形態では、図１８のステップＱ１に対応するステップＱ１１において、用いられるシリンダヘッドが、実際にエンジン組立に使用される実機用ではなくて、エンジンの組立には使用されないダミー用（計測用）とされ、このダミー用シリンダヘッドとしては計測用としての専用品を別途用意してもよいが、実施形態では実機用のものをそのまま流用するようにしてある。ステップＱ１２において、各点火プラグ１６について燃焼室内からの突出量Ｙ（Ｙ１〜Ｙ４）が計測され、その後ステップＱ１３において、ダミー用シリンダヘッドから各点火プラグ１６が取外される。Ｑ１４においては、シリンダヘッド（実機用）がシリンダブロック等に組付けられる。このステップＱ１４は、図１８のステップＱ３に対応するが、シリンダヘッド４には点火プラグ１６が取付けられていない状態である。上記ステップＱ１１〜Ｑ１４と並行して、ステップＱ１６（ステップＱ５対応）において、各燃料噴射弁１８の角度θ（θ１〜θ４）が計測される。そして、最後に、ステップＱ１５において、突出量Ｙと角度θとを対応づけるようにして点火プラグ１６と燃料噴射弁１８との組み合わせせが選択されて、この選択された組み合わせの状態でもって点火プラグ１６と燃料噴射弁１８とがシリンダヘッドに取付けられる。
【００６５】
図２０、図２１は、シリンダヘッド４に点火プラグ１６を実際に取付けることなく、点火プラグ１６の燃焼室内からの突出量Ｙ（に関するデータ）を得るようにしたものである。この点を詳述すると、図２０において、点火プラグ１６の先端部付近の構造は、電極Ｅのうちその中心電極Ｅ１の周囲が絶縁碍子１６ａによって囲まれて、中心電極Ｅ１はその先端部のみが絶縁碍子１６ａから若干露出しており、この露出された中心電極Ｅ１を、複数の周辺電極Ｅ２が取り囲むようになっている。点火プラグ１６には、シリンダヘッド４の取付孔（の内周面）に形成された係止面に当接される着座面１６ｂを有するが、例えばこの着座面１６ｂを基準位置として絶縁碍子１６ａ先端面までの長さ（距離）Ｚが、各点火プラグ１６毎に計測される。絶縁碍子１６ａ先端面からの中心電極Ｅ１の突出長さが一定となるように管理されているが、上記長さＺにはかなりの誤差（例えば±０．７ｍｍ）を有することになり、この長さＺの誤差が、電極Ｅの燃焼室内からの突出量Ｙに誤差を与える極めて大きな要因となる。したがって、上記長さＺを計測することにより、電極Ｅの燃焼室内からの突出量Ｙが推定されることになる。なお、長さＺが大きいほど、突出量Ｙが大きくなる関係にある。
【００６６】
図２１において、ステップＱ２１において、上記長さＺを、全気筒分の点火プラグ１６（実施形態では４気筒なので４個の点火プラグとなる）について計測して、そのデータＺ１〜Ｚ４を得る。そして、Ｚ１〜Ｚ４のうち最大値をＺｍａｘ、最小値をＺｍｉｎ、中間値（２つあり）をＺｘとして分類する。この後、Ｑ２２において、シリンダヘッド４をシリンダブロック等に組付ける通常のエンジン組立が行われる（図１９のＱ１４対応）。
【００６７】
一方、ステップＱ２１、Ｑ２２と並行して、ステップＱ２４において、全気筒分（実施形態では４気筒分）の各燃料噴射弁１８について、その角度θ（θ１〜θ４）を計測する。そして、そして、θ１〜θ４のうち最大値をθｍａｘ、最小値をθｍｉｎ、中間値（２つあり）をθｘとして分類する。
【００６８】
ステップＱ２３では、Ｚｍａｘの点火プラグ１６に対してθｍｉｎの燃料噴射弁１８を対応付け、Ｚｍｉｎの点火プラグ１６に対してθｍａｘの燃料噴射弁１８を対応付け、Ｚｘの点火プラグ１６に対してθｘの燃料噴射弁１８を対応付ける（Ｚｘとθｘとが対応付けられる組数は２組である）。そして、この対応付けの状態でもって、点火プラグ１６と燃料噴射弁１８とがシリンダヘッド４に組付けられる。図２１の実施形態によれば、燃料噴射弁１８については勿論のこと、点火プラグ１６についてもシリンダヘッド４等への組付けを行うことなく突出量Ｙ（に関連した値）を計測して、点火プラグ１６と燃料噴射弁１８との対応付けをエンジン組立工程とは全く別工程でもって行うことができる。なお、ステップＱ２３においては、対応付けされた点火プラグ１６と燃料噴射弁１８との２個セット体として組付工程に供給することにより、取付作業者は、組付に際して点火プラグ１６と燃料噴射弁１８との対応付けを意識することなくその取付作業を行うことができる。
【００６９】
図２２〜図２４は、本発明の別の実施形態を示すもので、燃料噴射弁１８Ｂを燃焼室略中央部に設けた場合（センター噴射の場合）を示す。すなわち、燃焼室略中央部には、点火プラグ１６が気筒軸線に対してかなり傾いた状態で配設されると共に、燃料噴射弁１８Ｂが気筒軸線にほぼ沿うようにして配設されている。燃料噴射弁１８Ｂは、図２４に示すように、周方向等間隔に複数（実施形態では６個）の噴口６１ａ〜６１ｆを有する。各噴口６１ａ〜６１ｆの軸線はそれぞれ、燃料噴射弁１８Ｂの軸線に対して同角度を有するように設定されて、各噴口６１ａ〜６１ｆからの燃料噴霧はそれぞれピストン頂面に向かうように指向されている。そして、１つの特定噴口６１ａが、電極Ｅ近傍の下方を通った後に、ピストン頂面に向かうように設定されている。本実施形態においては、点火プラグ１６の電極Ｅの燃焼室内への突出量が大きいほど、燃料噴射弁１８Ｂの軸線ＬＢと特定噴口６１ａの軸線Ｌ１とのなす角度θが小さい燃料噴射弁１８Ｂが対応付けられる。
【００７０】
図２５、図２６は、電極Ｅと特定噴口の軸線との距離Ｘを検出する別の手法を示すもので、電極（中心電極Ｅ１と周辺電極Ｅ２）を通して流れるイオン電流の大きさに応じて距離Ｘを判別する手法を示すものである。まず、点火プラグ１６は、既知のように、その周辺電極Ｅ２がエンジン１を介してグランドされ、その中心電極Ｅ１が点火回路１７に接続されている。点火回路１７と点火プラグ１６との間に、イオン電流を検出する電流検出回路４２が設けられている。この電流検出回路４２は、点火回路１７から点火プラグ１６へ向けての電流の流れのみを許容する逆流防止ダイオード４２ａを有する。また、電流検出回路４２は、逆流防止ダイオード４２ａよりも点火プラグ１６側において、互いに直列に接続された逆流防止ダイオード４２ｂ、基準電圧源４２ｃ、抵抗器４２ｄを有して、これらの構成要素４２ｂ〜４２ｄを介して点火プラグ１６がグランドされている。さらに、電流検出回路４２は、抵抗器４２ｃ間での電圧を検出する電圧計４２ｅを有している。
【００７１】
エンジン１を運転したとき、点火直前において、電極回りに存在する燃料噴霧によって中心電極Ｅ１と周辺電極Ｅ２との間にイオン電流が流れ、このイオン電流の大きさに応じた電圧が電圧計４２ｅによって検出される（検出電圧が大きいほどイオン電流が大）。イオン電流は、電極Ｅ回りの混合気の空燃比の変化によって図２６に示すように変化する。なお、検出されるイオン電流（記憶されるイオン電流または電圧）は微妙にその大きさが変化されるが、検出値の中での最大値を検出、記憶するようにしてある。混合気の空燃比が理論空燃比よりもリーンであることを前提とすると、検出されるイオン電流が大きいほど空燃比がリッチであり（空燃比が理論空燃比よりもリッチな場合はこの逆）、空燃比がリッチであるということは、電極Ｅと特定噴口の軸線との距離Ｘが小さいということになる。このようにして、各気筒についてそれぞれイオン電流（つまり距離Ｘ）が検出、記憶されることになる（少なくとも距離Ｘが最大となる気筒と最小となる気筒が記憶される）。なお、混合気の空燃比が理論空燃比よりもリーンであるかリッチであるかは、例えば空燃比を現在値よりもリーン側に補正したとき（燃料噴射量を減量補正したとき）に、検出さ
れるイオン電流値が小さくなれば現在の空燃比が理論空燃比よりもリーンであり、検出されるイオン電流値が大きくなれば現在の空燃比が理論空燃比よりもリッチであるということが理解される。なお、イオン電流検出は、エンジンの定常運転状態のときに行えばよい。
【００７２】
上述した電流検出回路４２は、各気筒（各点火プラグ１６）毎に個々に設けてよいが、イオン電流検出回路４２を各気筒共通用として使用することもできる（イオン電流を検出するタイミングが各気筒間において相違するので共通化が可能）。また、イオン電流検出回路４２が搭載された状態でエンジンを出荷することなく、例えばエンジン組立工場での最終検査段階で、イオン電流検出回路４２をエンジンに組み込んで、前述したイオン電流の検出、記憶を行わせた後、イオン電流検出回路４２をエンジンから除去するようにしてもよい（コストの大幅低減となる）。
【００７３】
図２７は、電流検出回路４２に代えて、抵抗検出回路４３を用いたものであり、図２５と同一構成要素には同一符合を付してその重複した説明は省略する。本実施形態では、抵抗器４２ｄ等に対して直列に電流計４３ａを組み込んで、点火直前のタイミング（電極周りに混合気が存在する状態）で、電流計４３ａで電流を検出すればよい。検出される電流は、中心電極Ｅ１と周辺電極Ｅ２との間の絶縁抵抗に相当するが、この絶縁抵抗は、電極周りの混合気の空燃比がリッチであるほど小さくなる。なお、電流計４３ａでの検出電流が大きいほど、絶縁抵抗が小さくなって、電極Ｅと燃料噴霧との間の距離が小さいということになる。
【００７４】
次に、図２８のフローチャートを参照しつつ、前述したエンジン始動時における点火に関連した制御例について説明する。なお、図２８のフローチャートは、エンジン冷機時のときにスタータモータが作動されたときに開始されるものであり、また以下の説明でＲはステップを示す。まず、Ｒ５１において、外気温度やエンジン冷却水温度等のデータが入力された後、Ｒ２において、極冷間時（例えば０度Ｃ以下）であるか否かが判別される。このＲ２の判別でＹＥＳのときは、Ｒ３において、記憶手段ＭＲに記憶されている距離Ｘが最大となる特定気筒（図１７に示す実施形態の場合は３番気筒）が選択された後、Ｒ３において、各気筒間において、上記特定気筒が最初に点火される（初爆）。この後は、Ｒ５において、排気ガス浄化触媒の早期活性化のために、排気温度上昇のための制御が行われる。このＲ５での制御は、例えば１０秒程度点火時期をリタードさせることによって、排気ガスの温度上昇が積極的に図られる。Ｒ５の後は、Ｒ６において、エンジンが暖機状態になるまで、全運転領域において均一燃焼が行われる。この均一燃焼のときも、積極的に排気温度上昇のために、点火時期が正規の点火時期よりも若干リタードされる（Ｒ５でのリタード量よりは小さいリタード量とされる）。エンジンが十分に暖機された（図５に示すマップが選択されるエンジン冷却水温度が例えば６０度Ｃ以上となった）後は、Ｒ７において、図５に示すマップにしたがう通常の制御が行われる。そして、Ｒ７では、成層燃焼領域での定常運転時に、各気筒についてイオン電流が検出されて、検出結果が記憶手段ＭＲに記憶される。
【００７５】
前記Ｒ２の判別でＮＯのときは、Ｒ８において、記憶手段ＭＲに記憶されているもっとも小さい距離Ｘ４となっている気筒（最小気筒）が選択された後、Ｒ９において、各気筒間においてＲ８で選択された気筒が最初に点火される。このＲ９の後は、前述したＲ５以降の処理が行われる。なお、Ｒ４、Ｒ５、Ｒ６、Ｒ９での燃料噴射は、吸気行程での噴射とされるが、特にＲ５での排気温度上昇の制御の際には、圧縮行程での分割噴射あるいは圧縮行程と膨張行程での分割噴射としてもよい。
【００７６】
図２９、図３０は、本発明のさらに別の実施形態を示すもので、各気筒間での角速度の相違（変動）を加味して初爆気筒を変更するようにしたものである。まず、図２９は、エンジン冷機時（例えばエンジンが始動された後で、冷却水温度が例えば４０度Ｃ以下のとき）での定常運転状態において、角速度（クランク角の変化速度）が最大となる気筒と最小となる気筒との間での変動幅を示すものである。すなわち、ある気筒で点火が行われると、角速度は徐々に大きくなった後、徐々に低下され、次の気筒の点火が行われると角速度が再び徐々に大きくなった後、低下されることになるが、この角速度が変動する様子を重ね合わせて示したのが図２８となる。なお、この変動幅は、角速度の最大値同士の偏差としてある。
【００７７】
角速度が大きくなる気筒においては燃焼トルクが大きいということであり、逆に角速度が小さくなる気筒では燃焼トルクが小さいということである。換言すれば、燃焼トルクが大きくなっている気筒ほど、電極Ｅと特定噴口の軸線との距離Ｘが小さい気筒であって、電極周りの空燃比がリッチになっていると考えることができる。このような観点から、温間時でのエンジン始動時には、角速度変更を加味して初爆気筒を設定するようにしてあり、その制御例が図３０のフローチャートに示される。すなわち、図３０のＲ１１〜Ｒ１３は、図２８のＲ８，Ｒ９に対応するもので、角速度変動は、冷機時であるＲ５あるいはＲ６の段階で検出するようにしてある。
【００７８】
図３０の各ステップについて説明すると、まずＲ１１において、角速度変動が大きい状態（図２８の変動幅が大きい状態）であるか否かが判別される。このＲ１１の判別でＹＥＳのときは、Ｒ１２において、角速度が最大となっている気筒が選択される。そして、Ｒ１３において、Ｒ１２で選択された気筒が初爆気筒とされる。上記Ｒ１１の判別でＮＯのときは、Ｒ１４において、距離Ｘが最小となっている気筒が選択された後、Ｒ１３に移行される。なお、温間時には、常時、角速度最大となる気筒を初爆気筒となるように設定してもよい。
【００７９】
以上実施形態について説明したが、本発明はこれに限らず、特許請求の範囲に記載された範囲において種々の変更が可能であり、例えば次のような場合をも含むものである。燃料噴射弁１８（１８Ｂ）の噴口の数は、５あるいは７以上であってもよい。各噴口の径および長さを互いに同一に設定してよもい。１つの気筒について、吸気ポート（切換弁）の数は１あるいは３以上であってもよい。電極Ｅ周りの濃混合気層生成を抑制するために、スワール生成と圧縮行程での分割噴射との両方を行うことなく、いずれか一方のみを行うようにしてもよく、スワールを生成しないものであってもよい。４気筒エンジンに限らず、２気筒以上の多気筒エンジンに適用できるものである。
【００８０】
点火順序は、実施形態に示す場合に限らず、例えば１番気筒、３番気筒、４番気筒、２番気筒の順にする等、適宜設定できる。また、極冷間時でのエンジン始動時において、各気筒間においてもっとも早く点火される気筒を、もっとも小さい距離Ｘ４となっている気筒以外の気筒（もっとも大きい距離Ｘ１となっている気筒は勿論のこと、例えば２番目に大きな距離Ｘ２となっている気筒等）に設定することもできる。さらに、極冷間時でのエンジン始動時において、各気筒間において点火が行われる順序として、距離Ｘが大きい気筒から距離Ｘが小さい気筒へと順次変化するように設定するのが、確実なエンジン始動を確保する上で好ましいものとなる（この場合、各気筒間においてもっとも距離Ｘが小さい気筒が最後に点火されることになる）。極冷間時でのエンジン始動時において、クランキングを所定期間行った後に、最初の燃料噴射と点火を実行するようにしてもよい（燃料噴射圧が少しでも大きくなるのを待つ）。この場合、上記所定期間としては、例えば３秒というように時間で設定してもよく、あるいはエンジン（のクランクシャフト）が例えば２回転するまでの間等エンジンの回転数によって設定することもできる。
【００８１】
温間時のときは、エンジン始動を迅速に行うという観点から、クランキング後、直ちに初爆気筒として設定された気筒の点火を実行するのが好ましい（上記所定期間の設定を行わないで、初爆気筒に設定された気筒が最初に燃料噴射タイミングとなった時点で燃料噴射が実行されると共に、最初に所定の点火時期となった時点で点火実行される）。温間時でのエンジン始動の迅速性を優先するという観点から、点火順序を、距離Ｘが最小となる気筒から、順次距離Ｘが大きくなる気筒となうように設定して、気筒間において距離Ｘが最大の気筒が最後に点火されるように設定することもできる（点火順序を考慮して、図１７に示す対となる点火プラグ１６と燃料噴射弁１８とが組み込まれる気筒を適宜変更する）。温間時でのエンジン始動の迅速性向上のためには、距離Ｘが最大となる気筒以外の気筒を初爆気筒として設定してもよい（例えば図１７の例において、距離Ｘが２番目に小さい気筒となる２番気筒を初爆気筒として設定する等）。距離Ｘを考慮することなく角速度のみに基づいて初爆気筒を設定することもでき（極冷間時には角速度最小となる気筒を初爆気筒に設定し、温間時には角速度最大となる気筒を初爆気筒に設定する）、この場合は、既存のクランク角センサを利用するだけでよいのでコストの点で好ましく、また経年変化にも対応できるものとなる。極冷間時であるか否かの判定しきい値となる温度は、０度Ｃに限らず、例えば−２０度Ｃというように極端に低い温度にする等、エンジンの使用地域や使用燃料の相違等に応じて適宜設定し得るものである。勿論、本発明の目的として、実質的に好ましいあるいは利点として表現された発明を提供することをも暗黙的に含むものである。
【図面の簡単な説明】
【００８２】
【図１】本発明が適用されたエンジンの一例を示す要部側面断面図。
【図２】スワール生成部分を含む燃焼室付近の簡略平面図。
【図３】燃料系統例を示す系統図。
【図４】制御系統例をブロック図的に示す図。
【図５】成層燃焼領域と均一燃焼領域との設定例を示す図。
【図６】エンジン回転数変化に応じた燃圧変化の設定例を示す図。
【図７】分割噴射の一例を示す図。
【図８】複数噴口から噴射される燃料噴霧の状態を示す斜視図。
【図９】複数噴口から噴射される燃料噴霧の状態を示す側方から見た図。
【図１０】複数噴口から噴射される燃料噴霧の状態を示す燃料噴射弁の反対側から見た図。
【図１１】複数噴口の設定例の詳細を示すもので、燃料噴射弁の軸線方向から見たときの図。
【図１２】シリンダヘッドに対する燃料噴射弁の取付例を示すもので、取付直前の状態を示す斜視図。
【図１３】シリンダヘッドに対する燃料噴射弁の取付例を示すもので、取付完了状態を示す斜視図。
【図１４】燃焼室内への電極突出量を計測する一例を示す簡略側面図。
【図１５】図１４での計測結果の一例を示す図。
【図１６】特定噴口の軸線と燃料噴射弁の軸線とのなす角度θの変化が、特定噴口の軸線と電極との距離の変化に与える状況を示す簡略側面図。
【図１７】電極の燃焼室内への突出量Ｙと角度θとを対応づけて組付けた状態と、そのときの電極と特定噴口からの燃料噴霧との位置関係を示す図。
【図１８】点火プラグと燃料噴射弁との組付工程を示すブロック図。
【図１９】図１８の変形例を示すブロック図。
【図２０】電極の燃焼室内への突出量に関するデータを、点火プラグ単独状態でもって得ることを説明するための要部図。
【図２１】図２０で得られた計測値を用いて点火プラグと燃料噴射弁とのエンジンへの組付工程を示すもので、図１８、図１９に対応したブロック図。
【図２２】燃料噴射弁を燃焼室の略中央部に設けた場合の実施形態を示す要部斜視図。
【図２３】図２２の構造において、電極と燃料噴射弁の噴射方向との関係を示す簡略側面断面図。
【図２４】図２３を下方側（ピストン頂面側）から見たときの図。
【図２５】イオン電流を検出する回路例を示す図。
【図２６】イオン電流と空燃比との関係を示す図。
【図２７】絶縁抵抗を検出する回路例を示す図。
【図２８】エンジン始動時での点火制御例を示すフローチャート。
【図２９】気筒間での角速度の大小関係を示す図。
【図３０】図２８の要部の変形例を示すフローチャート。
【符号の説明】
【００８３】
１：エンジン
３：シリンダブロック
４：シリンダヘッド
５：ピストン
６：燃焼室
１０（１０Ａ、１０Ｂ）：吸気ポート
１２：吸気弁
１６：点火プラグ
１６ａ：絶縁碍子
１６ｂ：着座面（基準位置）
１７：点火回路
１８：燃料噴射弁
１８Ｂ：燃料噴射弁（図２２〜図２４）
４１：切換スイッチ
４２：イオン電流検出回路
６１ａ：特定噴口（図２４）
Ｅ：点火プラグの電極
Ｅ１：中心電極
Ｅ２：周辺電極
ＬＢ：燃料噴射弁の軸線
Ｌ１：第１噴口（特定噴口）の軸線
Ａ１：第１噴口（特定噴口）から噴射された燃料の噴霧角
ＬＳ：計測器（電極の燃焼室内からの突出量を計測）
ＭＲ：記憶手段（検出値の記憶用）
Ｙ（Ｙ１〜Ｙ４）：電極の燃焼室内への突出量
θ（θ１〜θ４）：特定噴口の軸線と燃料噴射弁の軸線とのなす角度
Ｘ（Ｘ１〜Ｘ４）：電極と特定噴口の軸線との距離
Ｓ５：外気温度センサ
【図１】
0004696908.tif 000002
【図２】
0004696908.tif 000003
【図３】
0004696908.tif 000004
【図４】
0004696908.tif 000005
【図５】
0004696908.tif 000006
【図６】
0004696908.tif 000007
【図７】
0004696908.tif 000008
【図８】
0004696908.tif 000009
【図９】
0004696908.tif 000010
【図１０】
0004696908.tif 000011
【図１１】
0004696908.tif 000012
【図１２】
0004696908.tif 000013
【図１３】
0004696908.tif 000014
【図１４】
0004696908.tif 000015
【図１５】
0004696908.tif 000016
【図１６】
0004696908.tif 000017
【図１７】
0004696908.tif 000018
【図１８】
0004696908.tif 000019
【図１９】
0004696908.tif 000020
【図２０】
0004696908.tif 000021
【図２１】
0004696908.tif 000022
【図２２】
0004696908.tif 000023
【図２３】
0004696908.tif 000024
【図２４】
0004696908.tif 000025
【図２５】
0004696908.tif 000026
【図２６】
0004696908.tif 000027
【図２７】
0004696908.tif 000028
【図２８】
0004696908.tif 000029
【図２９】
0004696908.tif 000030
【図３０】
0004696908.tif 000031